(57)【要約】【課題】  携帯電話機からフリーダイヤルに接続することができるフリーダイヤル接続システムを提供することを目的とする。【解決手段】  携帯電話機２において、操作部２１により通話者によるフリーダイヤル加入電話機の電話番号を特定するためのフリー電話情報の入力が受け付けられ、電話通信部２２によりフリー電話情報が固定電話機へ送信され、固定電話機４において、電話通信部４１により携帯電話機２からフリー電話情報が受信されて携帯電話機２との回線が確立され、電話通信部４１により受信されたフリー電話情報から接続制御部４２によりフリーダイヤル加入電話機の電話番号が特定され、電話通信部４１によりフリーダイヤル加入電話機５の電話番号を用いてフリーダイヤル加入電話機５との回線が確立される。【選択図】  図２
2005311494.tif 000002
【特許請求の範囲】
【請求項１】
着信側が通話料を負担するフリーダイヤル加入電話機に接続可能な固定電話機と、携帯電話機とを備えるフリーダイヤル接続システムであって、
前記携帯電話機は、
通話者による前記フリーダイヤル加入電話機の電話番号を特定するためのフリー電話情報の入力を受け付ける受付手段と、
前記フリー電話情報を前記固定電話機へ送信する通信手段とを備え、
前記固定電話機は、
前記携帯電話機から前記フリー電話情報を受信して前記携帯電話機との回線を確立する第１の通信手段と、
前記第１の通信手段により受信された前記フリー電話情報からフリーダイヤル加入電話機の電話番号を特定する特定手段と、
前記フリーダイヤル加入電話機の電話番号を用いてフリーダイヤル加入電話機との回線を確立する第２の通信手段とを備えることを特徴とするフリーダイヤル接続システム。
【請求項２】
前記フリーダイヤル接続システムは、前記携帯電話機と前記固定電話機との間の通信を仲介する携帯電話通信センターを更に備え、
前記受付手段は、前記フリー電話情報に加えて、更にフリーダイヤル加入電話機への接続依頼であることを特定するための接続依頼情報、及び前記固定電話機の電話番号を特定するための固定電話情報の入力を受け付け、
前記通信手段は、前記フリー電話情報に加えて、更に前記接続依頼情報及び前記固定電話情報を前記携帯電話通信センターに送信し、
前記携帯電話通信センターは、
前記固定電話情報を受信して、前記固定電話情報から前記固定電話機の電話番号を特定する第２の特定手段と、
前記接続依頼情報及び前記フリー電話情報を受信して、前記固定電話機の電話番号を用いて前記接続依頼情報及び前記フリー電話情報を前記固定電話機に送信すると共に、前記携帯電話機と前記固定電話機との回線を中継する中継手段とを備えることを特徴とする請求項１に記載のフリーダイヤル接続システム。
【請求項３】
前記受付手段は、前記固定電話機の電話番号、前記フリーダイヤル加入電話機の電話番号、及び前記接続依頼情報となる数字以外の記号を配列した拡張電話番号を受け付け、
前記携帯電話通信センターは、
前記中継手段は、前記携帯電話機から通話要求としての電話番号を受信し、
前記中継手段により受信された電話番号に前記記号が含まれる場合に当該電話番号を前記拡張電話番号と判定し、前記固定電話機の電話番号及び前記フリーダイヤル加入電話機の電話番号を当該拡張電話番号から取得する解析手段を更に備えることを特徴とする請求項２に記載のフリーダイヤル接続システム。
【請求項４】
前記固定電話機は公衆電話機であり、
前記通信手段と前記第１の通信手段とは直接通信を行い、
前記入力手段は、前記フリー電話情報に加えて、更にフリーダイヤル加入電話機への接続依頼であることを特定するための接続依頼情報の入力を受け付け、
前記通信手段は、前記フリー電話情報に加えて、更に前記接続依頼情報、及び前記携帯電話機を特定するための識別情報を前記公衆電話機に送信し、
前記第１の通信手段は、前記フリー電話情報に加えて、更に前記接続依頼情報及び前記識別情報を受信し、前記識別情報を用いて前記通信手段と回線を確立し、
前記第２の通信手段は、前記第１の通信手段により前記接続依頼情報及び前記フリー電話情報が受信された場合にフリーダイヤル加入電話機との回線を確立することを特徴とする請求項１に記載のフリーダイヤル接続システム。
【請求項５】
前記公衆電話機は、
前記第１の通信手段により回線を確立することを許可する携帯電話機の前記識別情報を記憶する記憶手段と、
前記第１の通信手段により受信された識別情報と前記記憶手段に記憶されている識別情報とを比較することにより前記第１の通話手段による回線の確立を許可するか否かを判定する判定手段とを更に備え、
前記第１の通信手段は、前記判定手段により前記第１の通話手段による回線の確立が許可された場合に、前記回線を確立することを特徴とする請求項４に記載のフリーダイヤル接続システム。
【請求項６】
前記通信手段及び前記第１の通信手段は、無線により通信を行うことを特徴とする請求項４又は５に記載のフリーダイヤル接続システム。
【発明の詳細な説明】
【技術分野】
【０００１】
本発明は、携帯電話機からフリーダイヤル加入電話機に接続するフリーダイヤル接続システムに関する。
【背景技術】
【０００２】
電話通話料が電話着信側に課金されるフリーダイヤルサービスが電話会社により行われている。例えば、ＮＴＴ（日本電信電話株式会社）のサービスにおいては、「０１２０」の後に、フリーダイヤル加入者を識別する６桁の数字を加えた数字列をダイヤルすることにより、フリーダイヤル加入者の保有するフリーダイヤル加入電話機に接続することができる。このフリーダイヤルを使用することにより一般の通話者は通話料を支払うことなくフリーダイヤル加入電話機に電話をかけることができる。しかしながら、一般には携帯電話機からはフリーダイヤルが使用できないように規制されている。
【０００３】
また、例えば下記特許文献１には、フリーダイヤル発信が規制されている携帯電話機からフリーダイヤル加入電話機への接続を可能とすることを目的として、携帯電話機からの呼出しに際して、携帯電話機からの接続対象のフリーダイヤル加入電話機の電話番号を一端蓄積し、フリーダイヤル発信してフリーダイヤル加入電話機を呼び出し、その後、携帯電話機とフリーダイヤル加入電話機との通話接続が成されるように制御する中継システムを備え、中継システムは、携帯電話機に代わってフリーダイヤル加入電話機への発信動作を行う音声サービス装置と、音声サービス装置を制御するホストコンピュータを備える交換処理方式が記載されている。
【特許文献１】特開１９９８−１０７９０４号公報
【発明の開示】
【発明が解決しようとする課題】
【０００４】
しかしながら、近年、携帯電話が急速に普及し、固定電話機を保有しないで携帯電話機のみを保有する者や、携帯電話を主に使用する者が珍しくない状況になってきており、携帯電話機からもフリーダイヤルを使用する必要性が増してきた。
【０００５】
本発明は、上記問題点に鑑みて成されたもので、携帯電話機からフリーダイヤル番号への通話を可能とするフリーダイヤル接続システムを提供することを目的とする。
【課題を解決するための手段】
【０００６】
請求項１に係るフリーダイヤル接続システムは、着信側が通話料を負担するフリーダイヤル加入電話機に接続可能な固定電話機と、携帯電話機とを備えるフリーダイヤル接続システムであって、前記携帯電話機は、通話者による前記フリーダイヤル加入電話機の電話番号を特定するためのフリー電話情報の入力を受け付ける受付手段と、前記フリー電話情報を前記固定電話機へ送信する通信手段とを備え、前記固定電話機は、前記携帯電話機から前記フリー電話情報を受信して前記携帯電話機との回線を確立する第１の通信手段と、前記第１の通信手段により受信された前記フリー電話情報からフリーダイヤル加入電話機の電話番号を特定する特定手段と、前記フリーダイヤル加入電話機の電話番号を用いてフリーダイヤル加入電話機との回線を確立する第２の通信手段とを備えることを特徴とする。
【０００７】
請求項２に係るフリーダイヤル接続システムは、請求項１に記載のフリーダイヤル接続システムであって、前記フリーダイヤル接続システムは、前記携帯電話機と前記固定電話機との間の通信を仲介する携帯電話通信センターを更に備え、前記受付手段は、前記フリー電話情報に加えて、更にフリーダイヤル加入電話機への接続依頼であることを特定するための接続依頼情報、及び前記固定電話機の電話番号を特定するための固定電話情報の入力を受け付け、前記通信手段は、前記フリー電話情報に加えて、更に前記接続依頼情報及び前記固定電話情報を前記携帯電話通信センターに送信し、前記携帯電話通信センターは、前記固定電話情報を受信して、前記固定電話情報から前記固定電話機の電話番号を特定する第２の特定手段と、前記接続依頼情報及び前記フリー電話情報を受信して、前記固定電話機の電話番号を用いて前記接続依頼情報及び前記フリー電話情報を前記固定電話機に送信すると共に、前記携帯電話機と前記固定電話機との回線を中継する中継手段とを備えることを特徴とする。
【０００８】
請求項３に係るフリーダイヤル接続システムは、請求項２に記載のフリーダイヤル接続システムであって、前記受付手段は、前記固定電話機の電話番号、前記フリーダイヤル加入電話機の電話番号、及び前記接続依頼情報となる数字以外の記号を配列した拡張電話番号を受け付け、前記携帯電話通信センターは、前記中継手段は、前記携帯電話機から通話要求としての電話番号を受信し、前記中継手段により受信された電話番号に前記記号が含まれる場合に当該電話番号を前記拡張電話番号と判定し、前記固定電話機の電話番号及び前記フリーダイヤル加入電話機の電話番号を当該拡張電話番号から取得する解析手段を更に備えることを特徴とする。
【０００９】
請求項４に係るフリーダイヤル接続システムは、請求項１に記載のフリーダイヤル接続システムであって、前記固定電話機は公衆電話機であり、前記通信手段と前記第１の通信手段とは直接通信を行い、前記入力手段は、前記フリー電話情報に加えて、更にフリーダイヤル加入電話機への接続依頼であることを特定するための接続依頼情報の入力を受け付け、前記通信手段は、前記フリー電話情報に加えて、更に前記接続依頼情報、及び前記携帯電話機を特定するための識別情報を前記公衆電話機に送信し、前記第１の通信手段は、前記フリー電話情報に加えて、更に前記接続依頼情報及び前記識別情報を受信し、前記識別情報を用いて前記通信手段と回線を確立し、前記第２の通信手段は、前記第１の通信手段により前記接続依頼情報及び前記フリー電話情報が受信された場合にフリーダイヤル加入電話機との回線を確立することを特徴とする。
【００１０】
請求項５に係るフリーダイヤル接続システムは、請求項４に記載のフリーダイヤル接続システムであって、前記公衆電話機は、前記第１の通信手段により回線を確立することを許可する携帯電話機の前記識別情報を記憶する記憶手段と、前記第１の通信手段により受信された識別情報と前記記憶手段に記憶されている識別情報とを比較することにより前記第１の通話手段による回線の確立を許可するか否かを判定する判定手段とを更に備え、前記第１の通信手段は、前記判定手段により前記第１の通話手段による回線の確立が許可された場合に、前記回線を確立することを特徴とする。
【００１１】
請求項６に係るフリーダイヤル接続システムは、請求項４又は５に記載のフリーダイヤル接続システムであって、前記通信手段及び前記第１の通信手段は、無線により通信を行うことを特徴とする。
【発明の効果】
【００１２】
請求項１に記載の発明によれば、携帯電話機において、受信手段により通話者によるフリーダイヤル加入電話機の電話番号を特定するためのフリー電話情報の入力が受け付けられ、通信手段により前記フリー電話情報が固定電話機へ送信される。また、固定電話機において、第１の通信手段により携帯電話機からフリー電話情報が受信されて携帯電話機との回線が確立され、第１の通信手段により受信されたフリー電話情報からフリーダイヤル加入電話機の電話番号が特定手段により特定され、第２の通信手段によりフリーダイヤル加入電話機の電話番号を用いてフリーダイヤル加入電話機との回線が確立される。従ってこれにより、中継システム等を経由することなく携帯電話機からフリーダイヤル加入電話機に通話回線を接続することができる。
【００１３】
請求項２に記載の発明によれば、フリー電話情報に加えて、更にフリーダイヤル加入電話機への接続依頼であることを特定するための接続依頼情報、及び前記固定電話機の電話番号を特定するための固定電話情報が受付手段により入力を受け付けられ、フリー電話情報に加えて、更に前記接続依頼情報及び前記固定電話情報が通信手段により携帯電話通信センターに送信される。また、前記携帯電話通信センターにおいて、第２の特定手段により固定電話情報が受信されて固定電話情報から固定電話機の電話番号が特定され、中継手段により接続依頼情報及びフリー電話情報が受信されて、固定電話機の電話番号を用いて接続依頼情報及びフリー電話情報が固定電話機に送信されると共に、携帯電話機と固定電話機との回線が中継される。従ってこれにより、中継システム等を経由することなく携帯電話機からフリーダイヤル加入電話機に通話回線を接続することができる。
【００１４】
請求項３に記載の発明によれば、固定電話機の電話番号、フリーダイヤル加入電話機の電話番号、及び接続依頼情報となる数字以外の記号を配列した拡張電話番号が受付手段により受け付けられ、前記携帯電話通信センターにおいて、中継手段により携帯電話機から通話要求としての電話番号が受信され、中継手段により受信された電話番号に前記記号が含まれる場合に当該電話番号が前記拡張電話番号と判定され、解析手段により固定電話機の電話番号及びフリーダイヤル加入電話機の電話番号が当該拡張電話番号から取得される。
従ってこれにより、簡単な拡張電話番号を入力することにより携帯電話機からフリーダイヤル加入電話機に通話回線を接続することができる。。
【００１５】
請求項４に記載の発明によれば、前記固定電話機は公衆電話機であり、通信手段と第１の通信手段とは直接通信を行う。また、フリー電話情報に加えて、更にフリーダイヤル加入電話機への接続依頼であることを特定するための接続依頼情報の入力が入力手段により受け付けられ、フリー電話情報に加えて、更に接続依頼情報、及び携帯電話機を特定するための識別情報が通信手段により公衆電話機に送信され、フリー電話情報に加えて、更に接続依頼情報及び識別情報が第１の通信手段により受信されて識別情報を用いて通信手段と回線が確立され、第１の通信手段により接続依頼情報及びフリー電話情報が受信された場合にフリーダイヤル加入電話機との回線が第２の通信手段により確立される。従ってこれにより、中継システム等を経由することなく携帯電話機からフリーダイヤル加入電話機に通話回線を接続することができる。
【００１６】
請求項５に記載の発明によれば、公衆電話機において、第１の通信手段により回線を確立することを許可する携帯電話機の識別情報が記憶手段により記憶され、第１の通信手段により受信された識別情報と記憶手段に記憶されている識別情報とが判定春暖により比較されて第１の通話手段による回線の確立を許可するか否かが判定され、判定手段により第１の通話手段による回線の確立が許可された場合に、第１の通信手段により前記回線が確立される。従ってこれにより、許可されていない通信機器から公衆電話に接続した場合には、この通信機器からフリーダイヤル加入電話機には通話回線を接続しないようにできる。
【００１７】
請求項７に記載の発明によれば、携帯側通信手段及び公衆側通信手段は、無線により通信を行うので、携帯電話機と公衆電話機との間でケーブル接続を行うことなく、携帯電話機からフリーダイヤル加入電話機に通話回線を接続することができる。
【発明を実施するための最良の形態】
【００１８】
以下、本発明の一実施形態におけるフリーダイヤル接続システムについて図面を参照しながら説明する。
【００１９】
図１は、本実施形態におけるフリーダイヤル接続システム１の構成を示すブロック図である。フリーダイヤル接続システム１は携帯電話機２、携帯電話通信センター３、固定電話機４及びフリーダイヤル加入電話機５を備える。携帯電話通信センター３、固定電話機４及びフリーダイヤル加入電話機５は公衆回線６により接続される。携帯電話通信センター３は、携帯電話基地局（図示省略）及び移動交換機（図示省略）等を備え、携帯電話機からの接続要求に従い要求元携帯電話機と他の携帯電話機、又は固定電話機との間の通話回線を確立するものである。固定電話機４は一般家庭等に設置される電話機である。フリーダイヤル加入電話機５は、フリーダイヤルサービスを提供する電話会社にフリーダイヤルに加入していることが登録されている固定電話機で、通話者はフリーダイヤルサービスに登録されたフリーダイヤル番号を呼び出すことによりこのフリーダイヤル加入電話機５に電話接続することができる。フリーダイヤル加入電話機５に電話をかけた場合にはフリーダイヤル加入電話機５側が通話料を支払う。
【００２０】
図２は、フリーダイヤル接続システム１に係る携帯電話機２、携帯電話通信センター３、固定電話機４及びフリーダイヤル加入電話機５の機能構成を示すブロック図である。
【００２１】
携帯電話機２は、操作部２１、電話通信部２２、接続制御部２３、マイク部２４及びスピーカー部２５を備える。操作部２１は、テンキー等の操作キー及びディスプレイを備えるもので、操作キーにより電話番号の入力及び電話接続指示等を行い、ディスプレイにより電話番号表示等を行う。電話通信部２２は、携帯電話通信センター３と制御コマンドや音声情報等を送受信するものである。接続制御部２３は、操作部２１により電話接続を指示された場合又は携帯電話通信センター３から接続を要求された場合に携帯電話通信センター３と通話回線の接続を確立するものである。
【００２２】
マイク部２４は、携帯電話機２の外部から入力された音声を音声情報に変換するためのもので、電話通信部２２から他の電話機と通話回線が確立されている場合には入力された音声は接続先電話機のスピーカーから出力される。スピーカー部２５は、接続制御部２３により確立された通話回線により（他の電話機から）電話通信部２２に受信された音声情報を音声として携帯電話機２の外部に出力するものである。
【００２３】
携帯電話通信センター３は、電話通信部３１、番号解析部３２及び接続制御部３３を備える。電話通信部３１は、回線により接続された固定電話機４や携帯電話機２等と制御コマンドや音声情報等を送受信するものである。番号解析部３２は、電話通信部３１が受信した電話番号を通常の電話番号であるか拡張電話番号（後述）であるかをチェックし、通常の電話番号である場合には、接続制御部３３に通常電話番号である旨と電話番号とを送信する。拡張電話番号である場合には、接続制御部３３にフリーダイヤル接続要求である旨と、固定電話番号及びフリーダイヤル番号を送信する。ここで、携帯電話機からフリーダイヤル接続を行うための拡張電話番号は、例えば「固定電話番号」＋「＃」＋「フリーダイヤル番号」とする。具体的には、例えば固定電話番号が「０６−１２３４−１２３４」でフリーダイヤル番号が「０１２０−１２３４５６」の場合の拡張電話番号は「０６１２３４１２３４＃０１２０１２３４５６」である。番号解析部３２は、数字途中に「＃」記号があるか否かにより拡張電話番号か否かを判断し、「＃」より前の数字列を固定電話番号、「＃」より後の数字列をフリーダイヤル番号として取得する。
【００２４】
接続制御部３３は、番号解析部３２から通常電話番号への接続要求である旨を受信した場合には、その通常電話番号と接続要求元携帯電話機との間で通話回線の接続を確立する。また、番号解析部３２からフリーダイヤル加入電話機への接続要求である旨を受信した場合には、固定電話機４にフリーダイヤル番号を送信し、フリーダイヤル加入電話機５へ転送接続することを指示すると共に、固定電話機４と接続要求元携帯電話機との間で通話回線の接続を確立する。
【００２５】
固定電話機４は、電話通信部４１及び接続制御部４２を備える。電話通信部４１は、公衆回線により接続されたその他の電話機や携帯電話通信センター３と制御コマンドや音声情報等を送受信するものである。接続制御部４２は、携帯電話通信センター３の電話通信部３１から固定電話機４の電話通信部４１に転送接続要求を受信した場合に、この要求に従い、携帯電話通信センター３と固定電話機４との間で通話回線の接続を確立すると共に、フリーダイヤル加入電話機５と固定電話機４との間で通話回線の接続を確立し、これら２つの通話回線を接続することにより携帯電話機２とフリーダイヤル加入電話機５の間で通話回線の接続を確立するものである。
【００２６】
フリーダイヤル加入電話機５は、電話通信部５１、接続制御部５２、マイク部５３及びスピーカー部５４とを備える。電話通信部５１は、固定電話機４等と制御コマンドや音声情報等を送受信するものである。接続制御部５２は、固定電話機４等から接続を要求された場合に固定電話機４等と通話回線の接続を確立するものである。マイク部５３は、フリーダイヤル加入電話機５の外部から入力された音声を音声情報に変換するためのもので、電話通信部５１から他の電話機と通話回線が確立されている場合には入力された音声は接続先電話機のスピーカーから出力される。スピーカー部５４は、接続制御部５２により確立された通話回線により（他の電話機から）電話通信部５１に受信された音声情報を音声として携帯電話機の外部に出力するものである。
【００２７】
図３は、本実施形態におけるフリーダイヤル接続システムにおける制御の流れを示すフローチャートである。ステップＳ１１では、携帯電話機２の接続制御部２３は、通話者が操作部２１を操作して拡張電話番号として、例えば「０６１２３４１２３４＃０１２０１２３４５６」を入力し、続いて通話接続キーを押下したことを受け付ける。これに基づいて接続制御部２３は、電話通信部２２を制御して携帯電話通信センター３に上記拡張電話番号を通話接続要求として送信する。ステップＳ２１では、携帯電話通信センター３の電話通信部３１は拡張電話番号を受信し、番号解析部３２に送信する。
【００２８】
ステップＳ２３では、番号解析部３２では拡張電話番号を解析し、「＃」記号によりこの拡張電話番号をフリーダイヤル接続要求であると認識すると共に、「＃」記号の前の数字列「０６−１２３４−１２３４」を転送接続に使用する固定電話機４の電話番号、「＃」記号の後の数字列「０１２０−１２３４５６」をフリーダイヤル番号として取得する。そして、番号解析部３２は、フリーダイヤル接続要求である旨、固定電話機４の電話番号及びフリーダイヤル番号を接続制御部３３に送信する。
【００２９】
ステップＳ１３及びステップＳ２５では、携帯電話機２の接続制御部２３は電話通信部２２を制御し、携帯電話通信センター３の接続制御部３３は電話通信部３１を制御して、携帯電話機２と携帯電話通信センター３の間の通話回線の接続を確立する。ステップＳ２７では、接続制御部３３は、電話通信部３１を制御して固定電話機４に転送接続指示と共にフリーダイヤル番号を送信する。ステップＳ３１では、固定電話機４の接続制御部４２は、電話通信部４１を介して転送接続指示を受信する。ステップＳ２８及びステップうＳ３３では、接続制御部３３及び接続制御部４２の制御により電話通信部３１と電話通信部４１は携帯電話通信センター３と固定電話機４との間の通話回線の接続を確立する。
【００３０】
ステップＳ２９では、携帯電話通信センター３の接続制御部３３は、携帯電話機２への通話回線と固定電話機４への通話回線を電話通信部３１を制御することにより接続し、携帯電話機２と固定電話機４との間の通話回線の接続が確立される。ステップＳ３５では、固定電話機４の接続制御部４２は、フリーダイヤル加入電話機５との通話回線の接続を電話通信部４１を制御することにより確立する。ステップＳ３７では、固定電話機４の接続制御部４２は、携帯電話通信センター３への通話回線とフリーダイヤル加入電話機５への通話回線とを電話通信部４１により接続するよう制御し、これにより携帯電話機からフリーダイヤル加入電話機への通話回線の接続が確立される。
【００３１】
このように本実施形態によれば、携帯電話機から接続要求した場合に接続を拒否されるフリーダイヤル加入電話機への接続を、一端、携帯電話機から固定電話機へ接続し、この固定電話機からフリーダイヤル加入電話機へ接続すると共に、この固定電話機において両回線（携帯電話機から固定電話機への回線と固定電話機からフリーダイヤル加入電話機への回線）を接続することにより携帯電話機からフリーダイヤル加入電話機に接続できるようにした。
【００３２】
次に、本発明の第２の実施形態について、図面を用いて説明する。図４は、第２の実施形態におけるフリーダイヤル接続システム１’の構成を示すブロック図である。フリーダイヤル接続システム１’は、携帯電話機２’、公衆電話機７及びフリーダイヤル加入電話機５を備え、公衆電話機７とフリーダイヤル加入電話機５は公衆回線６により接続される。携帯電話機２’は通常の携帯電話通話機能以外に無線通信機能（例えば、Ｂｌｕｅｔｏｏｔｈ（登録商標））を備える。公衆電話機７は、携帯電話機２’と同じ規格の無線通信機能を備え、公衆電話機７の（電話としての）接続先を携帯電話機２’に転送接続する機能を備える。フリーダイヤル加入電話機５は第１の実施形態と同じものである。
【００３３】
図５は、フリーダイヤル接続システム１’に係る携帯電話機２’、公衆電話機７及びフリーダイヤル加入電話機５の機能構成を示すブロック図である。携帯電話機２’は、操作部２１、無線通信部２６、マイク部２４及びスピーカー部２５を備える。無線通信部２６は、公衆電話機７の無線通信部７３と無線により接続し、公衆電話機７との間で公衆電話機７の操作指示及び音声情報を送受信するためのものである。無線通信部２６は、公衆電話機７の無線通信部７３に接続を要求する際に携帯電話機２’を識別するための情報として例えば携帯電話機２’の電話番号を無線通信部７３に送信する。
【００３４】
公衆電話機７は、電話通信部７１、接続制御部７２、無線通信部７３、識別情報記憶部７４及び識別情報判定部７５を備える。電話通信部７１は、公衆回線により接続された他の電話機（フリーダイヤル加入電話機を含む）と制御コマンドや音声等を送受信するものである。識別情報記憶部７４は、無線通信手段により公衆電話機７に接続することを許可する相手（例えば携帯電話機）を識別するための情報（例えば［０９０］又は「０８０」で始まる任意の番号）を記憶するものである。識別情報判定部７５は、無線通信部７３から電話番号を受信し、無線通信部７３の指示によりその電話番号と識別情報記憶部７４に記憶されている情報とを比較し、その電話番号が携帯電話番号であるか否かを判定する。判定結果は無線通信部７３に返される。
【００３５】
無線通信部７３は、携帯電話機２’から接続依頼を受信した場合に、接続依頼と共に携帯電話機２’から受信した番号が携帯電話番号であるか否かを識別情報判定部７５によりチェックし、前記番号が携帯電話番号であると判定された場合には、無線通信部７３は前記携帯電話機２’と無線通信による接続を確立する。無線通信部７３は、無線通信接続後、この無線通信により携帯電話機２’から公衆電話機７の操作指示を受信した場合には、接続制御部７２にその操作指示を送信する。ここで、操作指示とはフリーダイヤル番号の入力のための番号指示や通話開始指示である。無線通信部２６は、操作部２１の操作キーが押下された場合には押下された操作キーの情報を無線通信部７３に送信し、無線通信部７３はこれを接続制御部７２に送信する。接続制御部７２では、この操作指示を基に公衆回線への接続を行う。無線通信部７３は、携帯電話機２’の無線通信部２６から接続を要求された場合に無線通信部２６から送信されてきた携帯電話機２’の電話番号を受信し、電話番号の最初の３桁の番号を識別情報記憶部７４に記憶されている番号と比較することにより携帯電話機からの接続要求であることを確認し、無線接続を確立する。
【００３６】
接続制御部７２は、公衆電話機７の操作部（図示省略）により電話接続を指示された場合、無線通信部７３を介して携帯電話機２’からフリーダイヤル接続を指示された場合、又は他の電話機から接続を要求された場合に公衆電話機７と他の電話機との間に通話回線の接続を確立する。接続制御部７２は、無線通信部７３を介して携帯電話機２’からフリーダイヤル接続を指示された場合には、更に携帯電話機２’の電話番号を無線通信部７３を介して受信し、電話通信部７１と無線通信部７３とを接続し、フリーダイヤル加入電話機と携帯電話機の間で音声情報が授受されるようにする。
【００３７】
図６は、本実施形態におけるフリーダイヤル接続システムにおける制御の流れを示すフローチャートである。ステップＳ４１では、携帯電話機２’の無線通信部２６は、通話者が操作部２１の例えば「フリーダイヤル」キー（図示省略）を押下したことを受け付ける。これに基づいて無線通信部２６は、公衆電話機の無線通信部７３に携帯電話機２’の電話番号を無線接続要求として送信する。ステップＳ５１では、公衆電話機７の無線通信部７３は、接続依頼を受信する。ステップＳ５３では、公衆電話機７の無線通信部７３は、受信した電話番号を識別情報判定部７５に送信して携帯電話番号であるか否かの判定を依頼する。これを受けて識別情報判定部７５は、識別情報記憶部７４から識別情報として例えば「０９０＊」（「＊」は任意の数字列）及び「０８０＊」を読み出し、受信した電話番号と比較して、この接続要求が携帯電話機からの接続要求であるか否かを判定する。携帯電話機からの接続要求であると判定した場合には（ステップＳ５３でＹＥＳ）、ステップＳ５５へ進む。携帯電話機からの接続要求でないと判定した場合には（ステップＳ５３でＮＯ）、接続を行わず処理を終了する。
【００３８】
ステップＳ４３及びステップＳ５５では、無線通信部２６及び無線通信部７３は、互いにこの無線接続を確立する。ステップＳ４５では、携帯電話機２’の操作部２１は、フリーダイヤル番号がテンキーにより押下され、続いて通話接続キーが押下されたことを受け付けた場合には、この旨を無線通信部２６に送信し、無線通信部２６は押下されたキーの情報を公衆電話機７の無線通信部７３に送信することによりフリーダイヤル加入電話機との接続を指示する。ステップＳ５７では、公衆電話機の接続制御部７２は前記キー情報を電話通信部７１を介して受信する。ステップＳ５９では、接続制御部７２は受信したキー情報に基づいて電話通信部７１を制御してフリーダイヤル加入電話機との間の通話回線の接続を確立する。ステップＳ６１では、接続制御部７２は、電話通信部７１と無線通信部７３とを接続することにより携帯電話機２’とフリーダイヤル加入電話機５間の通信を確立し通話ができるようにする。
【００３９】
このように本実施形態によれば、携帯電話機から接続要求した場合に接続を拒否されるフリーダイヤル加入電話機への接続を、無線通信機能を備えた携帯電話機から同じく無線通信機能を備えた公衆電話機へ無線通信により接続し、この公衆電話機からフリーダイヤル加入電話機へ接続すると共に、この公衆電話機において電話回線と無線回線とを接続することにより携帯電話機からフリーダイヤル加入電話機に接続できるようにした。
【００４０】
なお、本発明は、上記実施形態のものに限定されるものではなく、以下に述べる態様を採用することができる。第１の実施形態においては、固定電話番号とフリーダイヤル番号の間に「＃」記号（フリーダイヤル接続依頼であることを示すコード）を挿入した番号を拡張電話番号としたが、拡張電話番号は固定電話番号とフリーダイヤル番号とフリーダイヤル接続依頼であることを示すコードを含むものであればどのようなものでもよい。例えば「＃」の後にフリーダイヤル番号、その後に「＊」記号を続けて固定電話番号を入力するものでもよい。
【００４１】
第２の実施形態においては、携帯電話機と公衆電話機を電話通信以外の無線通信により接続したが、これは必ずしも無線である必要はなく、有線の通信規格（例えばＵＳＢ（Universal Serial Bus）規格）等によりケーブルを用いて接続するようにしてもよい。
【００４２】
第２の実施形態においては、公衆電話機との間で無線接続を許可するための識別情報を携帯電話番号としたが、これは必ずしも携帯電話番号である必要はなく、例えば識別情報記憶部に記憶されている任意の番号等であってもよい。携帯電話番号を識別情報として使用する場合には、この番号をフリーダイヤル接続システムの利用料の課金のために使用してもよい。また、必ずしも公衆電話機への接続許可判定を行う必要はなく、任意の機器からの接続を認めるようにしてもよい。
【００４３】
上記実施形態においては、携帯電話通信センターとフリーダイヤル加入電話との間、又は公衆電話とフリーダイヤル加入電話との間は、電話回線により接続したが、これは必ずしも電話回線である必要はなく、例えばＩＰ（Internet Protocol）電話回線を用いてよい。
【００４４】
上記実施形態においては、携帯電話からフリーダイヤル加入電話及び固定電話の電話番号を特定する情報として電話番号自体を入力したが、これは、電話番号を特定するための情報（例えば短縮番号）であってもよい。
【図面の簡単な説明】
【００４５】
【図１】本発明の一実施形態におけるフリーダイヤル接続システムの構成を示すブロック図である。
【図２】本発明の一実施形態におけるフリーダイヤル接続システムの機能構成を示すブロック図である。
【図３】本発明の一実施形態におけるフリーダイヤル接続システムの処理の流れを示すフローチャートである。
【図４】本発明の第２の実施形態におけるフリーダイヤル接続システムの構成を示すブロック図である。
【図５】本発明の第２の実施形態におけるフリーダイヤル接続システムの機能構成を示すブロック図である。
【図６】本発明の第２の実施形態におけるフリーダイヤル接続システムの処理の流れを示すフローチャートである。
【符号の説明】
【００４６】
１  フリーダイヤル接続システム
２，２’  携帯電話機
２１  操作部（受付手段）
２２  電話通信部（通信手段）
２３  接続制御部（通信手段）
２６  無線通信部（通信手段）
３  携帯電話通信センター
３１  電話通信部（中継手段）
３２  番号解析部（解析手段）
３３  接続制御部（第２の特定手段）
４  固定電話機
４１  電話通信部（第１の通信手段）
４２  接続制御部（第１の通信手段、特定手段、第２の通信手段）
５  フリーダイヤル加入電話機
７  公衆電話機
７１  電話通信部（第２の通信手段）
７２  接続制御部（第１の通信手段、第２の通信手段）
７３  無線通信部（第１の通信手段）
７４  識別情報記憶部（記憶手段）
７５  識別情報判定部（判定手段）
【図１】
2005311494.tif 000003
【図２】
2005311494.tif 000004
【図３】
2005311494.tif 000005
【図４】
2005311494.tif 000006
【図５】
2005311494.tif 000007
【図６】
2005311494.tif 000008